(57)【要約】【課題】ロー付け等の溶接を必要とせず且つ簡単な構造でありながら把持部が軸部材を確実に把持することが可能な眼鏡部材の連結回動構造を提供すること。【解決手段】２つの眼鏡部材の連結回動構造であって、貫通孔１１を有する軸部材１と、軸部材１を取り巻いて回動可能に把持するための把持部２１を備えた第１眼鏡部材２と、先端部に折り返し部３１を備えた第２眼鏡部材３と、よりなり、第１眼鏡部材の把持部２１には、軸部材１の回動軸線と垂直方向に、端部２３を有する案内溝孔２２が設けられ、第２眼鏡部材の折り返し部３１又は第２眼鏡部材本体３２が、案内溝孔２２に開口した軸部材の貫通孔１１に挿通され、軸部材１を折り返し部３１と第２眼鏡部材本体部３２とで挟持することにより固定されており、第１眼鏡部材２及び第２眼鏡部材３の所定の拡開状態で、第２眼鏡部材３が案内溝孔の端部２３に当接する眼鏡部材の連結回動構造Ａ。【選択図】  図１
2004333656.tif 000002
【特許請求の範囲】
【請求項１】
２つの眼鏡部材を回動可能に連結するための眼鏡部材の連結回動構造であって、
貫通孔を有する軸部材と、
該軸部材を取り巻いて該軸部材を回動可能に把持するための把持部を備えた第１眼鏡部材と、
先端部に折り返し部を備えた第２眼鏡部材と、よりなり、
該第１眼鏡部材の把持部には、該軸部材の回動軸線と垂直方向に、端部を有する案内溝孔が設けられ、
該第２眼鏡部材の折り返し部又は該第２眼鏡部材本体が、該案内溝孔に開口した該軸部材の貫通孔に挿通され、該軸部材を該折り返し部と該第２眼鏡部材本体部とで挟持することにより固定されており、
第１眼鏡部材及び第２眼鏡部材の所定の拡開状態で、該第２眼鏡部材が該案内溝孔の端部に当接することを特徴とする眼鏡部材の連結回動構造。
【請求項２】
第２眼鏡部材は、抜け止め構造又は第２眼鏡部材の長さ調節のための波打ち構造を形成されたものであることを特徴とする請求項１記載の眼鏡部材の連結回動構造。
【請求項３】
第１眼鏡部材が、１本の棒状材よりなることを特徴とする請求項１記載の眼鏡部材の連結回動構造。
【請求項４】
第１眼鏡部材が、平板材よりなることを特徴とする請求項１記載の眼鏡部材の連結回動構造。
【請求項５】
軸部材が、円柱状に形成されてなることを特徴とする請求項１記載の眼鏡部材の連結回動構造。
【請求項６】
軸部材が、樽状又は球状に形成されてなることを特徴とする請求項１記載の眼鏡部材の連結回動構造。
【請求項７】
軸部材が、断面多角形状又は断面楕円状に形成されてなることを特徴とする請求項１記載の眼鏡部材の連結回動構造。
【発明の詳細な説明】
【０００１】
【発明の属する技術分野】
この発明は、眼鏡部材の連結回動構造に関し、更に詳しくは、ロー付け等の溶接を必要とせず、且つ簡単な構造でありながら把持部が軸部材を確実に把持することが可能で、しかも適度なアガキを長期間良好に保つことが可能な眼鏡部材の連結回動構造に関する。
【０００２】
【従来の技術】
眼鏡フレームの智とテンプルとの連結回動構造としては、かつては、智に設けた２枚駒にテンプルに設けた１枚駒を嵌め込みネジで回動可能に螺着する構造が採られることが多かった。
しかし、この構造では、テンプルの開閉の際の適度な抵抗感（いわゆるアガキ）を、智やテンプルに設けた駒の接触面同士の摩擦によって得ていたため、駒が摩耗してしまい易かった。
【０００３】
また、同時に、ネジが緩んで開閉時の適度な抵抗感が失われ易く、更には、ネジが脱落して紛失してしまうことも比較的多かった。
そのため、従来から、ネジを用いない連結回動構造が、数多く提案されている。
【０００４】
中でも、上記のテンプルの開閉時の適度なアガキを持続させることを目的とする場合には、略円柱状や球形状の軸構造や軸部材を、智やテンプルに円弧状に形成した把持部で把持するような構造が採用されることが多い。
つまり、智に設けた軸構造をテンプルの把持部で把持したり、又は逆に、テンプルに設けた軸構造を智の把持部で把持したり、或いは、独立の軸部材を智及びテンプルの把持部で把持して、適度な抵抗感を維持するのである。
【０００５】
しかし、それらはアイデア的には特徴のあるものであっても、製造工数がかかるため必ずしも生産性の良さにはつながらない場合がある。
また、実際、眼鏡を使用して、テンプルが繰り返し開閉されると、軸部材が摩耗したり或いは構造的な欠点により、必ずしも適度なアガキを常時維持し続けられるとは言い難いものもある。
【０００６】
例えば、智に設けた円環状の把持部でテンプルの先端に取り付けた軸構造（又は軸部材）を把持するタイプの連結回動構造が提案されている（特許文献１〜特許文献３参照）。
こうしたタイプの連結回動構造は、確かに適度なアガキは得られるが、テンプルの開閉が繰り返され、テンプルの軸構造や軸部材が摩耗してアガキが弱まり又は失われた場合、もはや軸構造等を交換するほかない。
【０００７】
特に、特許文献１又は特許文献２に記載された連結構造では、そのまま放っておくと、テンプルが智から脱落する可能性もあるため、軸構造等の交換が頻繁になる可能性がある。
また、円環状の把持部を智と一体成形で形成したり、ロー付け等で取り付けたりするのは、智や把持部の材質次第では必ずしも容易ではない場合がある。
【０００８】
一方、上記と同様に適度なアガキを維持する点で目的を共通にしながらも、更に生産性やコスト等の観点から連結回動構造をより簡単な構造としたものも幾つか提案されている。
例えば、棒状の智やテンプルを特有の形状に折り曲げて把持部とし、独立の軸部材を把持する構造等である（特許文献４〜８参照）。
【０００９】
特許文献４に記載された連結回動構造は、軸部材（嵌合部材）を智の湾曲部に嵌め込み、その軸部材にテンプルを嵌合させた構造としたものである。
しかし、湾曲部の構造が単純すぎるため、眼鏡の着用の際に、軸部材がテンプルを嵌合した状態のまま智の湾曲部から容易に外れたり、或いはテンプルが軸部材から容易に外れたりしかねない。
【００１０】
また、特許文献５に記載された連結回動構造は、軸部材（枢軸）に貫通孔を設けて智を差し込んで固定し、テンプルの先端の折り返し部で軸部材を取り巻いて挟持するものである。
この連結回動構造では、テンプルの折り返し部との摩擦で軸部材が摩耗した場合、折り返し部を変形すればアガキが回復（調整）できるが、その調整は、いわゆる素人の眼鏡の使用者には必ずしも容易ではない。
【００１１】
また、軸部材を貫通した智の先端には、折り曲げられてテンプルの拡開を制限する係合部が形成されるが、交換等のため軸部材から智を引き抜く際、係合部の折り曲げを伸ばさねばならず、軸部材の交換等が必ずしも容易ではない。
更に、折り曲げたり伸ばしたりするのでは、智の係合部の強度が弱くなる可能性が残る。
【００１２】
特許文献６に記載された連結回動構造は、軸部材（枢軸片）の側面に形成された上下２本の係合溝に、智及びテンプルの先端に形成された円弧状屈曲部を取り付けるものである。
しかし、係合溝等の構造を正確に形成しないとテンプルが上下方向にガタが生じる可能性があり、また、係合溝が摩耗した場合、テンプルにガタが生じ易い。
【００１３】
特許文献７に記載された連結回動構造では、軸部材（円筒状軸部部材）の側面テンプルの先端をロー付け等により取り付けているが、テンプルのオーバー回動で繰り返し力が加わるとロー付け等が外れてしまう可能性がある。
また、テンプルのオーバー回動のたびに、軸部材の回動制限部が智の円形状屈曲部の円弧を開く方向に力を加えるため、必ずしも適度なアガキが的確に維持されるとは言い難く、また、オーバー回動の際、テンプルが連結構造から外れる可能性もある。
【００１４】
特許文献８に記載された連結回動構造は、球体状の軸部材（球体）にテンプルを取り付け、軸部材を智の先端の円弧状の把持部で把持するものである。
その際、この連結回動構造は、軸部材に孔を開け、テンプルを構成する棒状体を挿入してロー付けしているが、先述したように、軸部材の材質次第では容易にはロー付けできない場合もあり、テンプルの頻繁な開閉でロー付けが外れてしまう場合がある。
【００１５】
また、智の把持部で球体状の軸部材が回転し、テンプルが上下方向にガタつく場合がある。
更に、テンプルがその長手方向の軸を中心に回転してしまうため、実際には、軸部材にその方向の回転を防止するための機構（例えば同文献にあるような球体上の溝など）を設けることが必要となるが、構造が複雑となり製造が面倒である。
【００１６】
一方、上記の特許文献６〜特許文献８に記載された連結回動構造は、根本的な問題を内包している。
これらの構造では、軸部材を円弧状の把持部に嵌め込む際に、把持構造の上下から嵌め込むことができず、把持部の円弧の切れ目（円弧が欠けている部分）を一旦大きく押し開くようにして嵌め込まなければならない。
【００１７】
具体的には、特許文献６に記載された連結回動構造では、軸部材（枢軸片）が智及びテンプルの円弧状屈曲部を押し広げるようにして取り付けられ、特許文献７及び特許文献８に記載された連結回動構造では、軸部材（円筒状軸部部材及び球体）が智の円形状の把持部を押し広げるようにして嵌め込まれる。
【００１８】
その際、切れ目が小さ過ぎると軸部材を嵌め込むことができないため、把持構造の円弧の切れ目を比較的大きく形成する必要がある。
そのため、円弧状の把持構造は、実際に軸部材を把持する部分を小さくしなければならなく（円弧の長さを短くしなければならなく）、把持部が軸部材を把持する力（把持力）が弱いものとなってしまう。
【００１９】
また、切れ目を大きく押し広げられた後、たとえ弾性力で把持構造の形状が元に戻るとしても、軸部材に対する把持部の把持力が多少低下する恐れがある。
つまり、こうした連結回動構造では、その構造上、軸部材に対する把持部の把持力が元来必ずしも十分なものではない上、嵌め込み時にこの把持力がより低下する可能性すらあるのである。
【００２０】
【特許文献１】
特開２００２−１２２８１９号公報
【特許文献２】
特開平１１−３３７８８４号公報
【特許文献３】
特開２０００−２０６４６７号公報
【特許文献４】
特開２００１−７５０５６号公報
【特許文献５】
特開２００１−２４９３０８号公報
【特許文献６】
特開２００２−３４１２９５号公報
【特許文献７】
特開平１０−２０２６０号公報
【特許文献８】
特開平８−６８９７３号公報
【００２１】
【発明が解決しようとする課題】
本発明は、かかる実状を背景に、上記の諸問題点を克服するためになされたものである。
即ち、本発明の目的は、ロー付け等の溶接を必要とせず、且つ簡単な構造でありながら把持部が軸部材を確実に把持することが可能な眼鏡部材の連結回動構造を提供することである。
しかも、適度なアガキを長期間良好に保つことが可能な眼鏡部材の連結回動構造を提供することである。
【００２２】
【課題を解決するための手段】
かくして、本発明者は、このような課題背景に対して、鋭意研究を重ねた結果、眼鏡部材の連結回動構造において、把持部に対して軸部材をいわば把持部の上下方向から挿入可能な構造とし、且つ把持部が軸部材の外周をほぼ全域にわたって把持する状態として軸部材を確実に把持しながら、更に、この連結回動構造にオーバー回動の力が加わった場合には把持構造による軸部材の把持力が増すような構造とすることにより、適度なアガキが長期間良好に維持されることを見出し、この知見に基づいて本発明を完成させたものである。
【００２３】
即ち、本発明は、（１）、２つの眼鏡部材を回動可能に連結するための眼鏡部材の連結回動構造であって、貫通孔を有する軸部材と、該軸部材を取り巻いて該軸部材を回動可能に把持するための把持部を備えた第１眼鏡部材と、先端部に折り返し部を備えた第２眼鏡部材と、よりなり、該第１眼鏡部材の把持部には、該軸部材の回動軸線と垂直方向に、端部を有する案内溝孔が設けられ、該第２眼鏡部材の折り返し部又は該第２眼鏡部材本体が、該案内溝孔に開口した該軸部材の貫通孔に挿通され、該軸部材を該折り返し部と該第２眼鏡部材本体部とで挟持することにより固定されており、第１眼鏡部材及び第２眼鏡部材の所定の拡開状態で、該第２眼鏡部材が該案内溝孔の端部に当接する眼鏡部材の連結回動構造に存する。
【００２４】
そして、（２）、第２眼鏡部材は、抜け止め構造又は第２眼鏡部材の長さ調節のための波打ち構造を形成されたものである眼鏡部材の連結回動構造に存する。
【００２５】
そしてまた、（３）、第１眼鏡部材が、１本の棒状材よりなる眼鏡部材の連結回動構造に存する。
【００２６】
そしてまた、（４）、第１眼鏡部材が、平板材よりなる眼鏡部材の連結回動構造に存する。
【００２７】
そしてまた、（５）、軸部材が、円柱状に形成されてなる眼鏡部材の連結回動構造に存する。
【００２８】
そしてまた、（６）、軸部材が、樽状又は球状に形成されてなる眼鏡部材の連結回動構造に存する。
【００２９】
そしてまた、（７）、軸部材が、断面多角形状又は断面楕円状に形成されてなる眼鏡部材の連結回動構造に存する。
【００３０】
本発明はこの目的に沿ったものであれば、上記１〜７の中から選ばれた２つ以上を組み合わせた構成も当然採用可能である。
【００３１】
【発明の実施の形態】
以下、図面に基づき、本発明の眼鏡部材の連結回動構造について説明する。
以下の実施の形態においては、智とテンプルとの連結の場合を例にとって説明するが、本発明の連結回動構造が、例えば、跳ね上げレンズとリムとの連結構造や、折り畳み眼鏡のブリッジの折り曲げ可能な連結構造等として採用可能であることは言うまでもない。
【００３２】
〔第１の実施の形態〕
図１は、本発明の眼鏡部材の連結回動構造の第１の実施の形態を示す斜視図であり、（Ａ）は各部材の組み付け前、（Ｂ）は組み付け後の連結回動構造を示し、（Ｃ）はテンプルを多少折りたたんだ状態を示す。
本発明の眼鏡部材の連結回動構造Ａは、２つの眼鏡部材（この場合は智２とテンプル３）を相互に回動可能に連結するための構造であり、軸部材１と、第１眼鏡部材である智２と、第２眼鏡部材であるテンプル３とよりなる。
【００３３】
軸部材１は、この実施の形態では、円柱状に形成されており、軸部材１の内部をほぼ直線状に貫通する貫通孔１１が形成されている。
智２は、軸部材１を取り巻いて軸部材１を回動可能に把持するための把持部２１を備える。
【００３４】
智２は、この実施の形態では、１本の棒状材より形成される。
智２の把持部２１は、その棒状材に折り曲げ加工等を施すことにより、上記円柱状の軸部材１を回動可能に取り巻いて把持できるように、円弧状に形成されている。
【００３５】
また、把持部２１には、その円弧状の先端部分に閉じた端部２３を有する状態に案内溝孔２２が設けられている。
その際、案内溝孔２２は、軸部材の回動軸線〔図１（Ｂ）の１点鎖線参照〕と垂直方向に形成される。
具体的には、智２を構成する１本の棒状材を端部２３の位置で折り返して端部２３と案内溝孔２２を形成し、更にその折り返し部分を円弧状に曲げて円弧状の把持部２１を得る。
【００３６】
テンプル３も、この実施の形態では１本の棒状材より屈曲形成され、先端部分が略Ｕ字状に折り返されて折り返し部３１が形成されている。
このように、軸部材１、智２、及びテンプル３は、ともに非常に形成が簡単で単純な形状である。
【００３７】
次に、軸部材１、智２、及びテンプル３の組み付けの手順を示す。
先ず、智２の把持部２１に対して、軸部材１を回動軸線に沿って移動させながら挿入し〔図１（Ａ）では把持部の上方から挿入し〕、軸部材１の貫通孔１１の開口部１２〔図１（Ａ）参照〕が案内溝孔２２を介して外方に開口した状態にする。
【００３８】
次に、テンプル３の折り返し部３１を、このように案内溝孔２２に開口した軸部材１の貫通孔１１に挿通する。
そして、折り返し部３１とテンプル本体部３２とで軸部材１を挟持することによりテンプル３が軸部材１に固定される〔図１（Ｂ）参照〕。
【００３９】
こうして、各眼鏡部材の組み付けが完了する。
このように、本発明の眼鏡部材の連結回動構造Ａによれば、従来例のように連結回動構造の形成にロー付け等の溶接を一切必要とせず、しかも各眼鏡部材が上記のように非常に簡単で単純な構造でありながら、把持部２１が軸部材１を確実に把持するようにすることができるのである。
【００４０】
各眼鏡部材がこのように組み付けられることにより、テンプル３が図１（Ｂ）の矢印Ｐの方向に開閉自在となることは、改めて説明するまでもない〔図１（Ｃ）参照〕。
また、軸部材１が、智２の案内溝孔２２を形成する上下２本の腕（棒状材）により確実に把持され、また、テンプル３が案内溝孔２２内で接触又は非接触状態にて案内されるため、テンプル３の後端が上下方向（図中の矢印Ｑの方向）にぶれるのを阻止できる。
【００４１】
尚、この眼鏡部材の連結回動構造Ａを用いた眼鏡では、テンプル３の開閉時の抵抗感（アガキ）は、智２の把持部２１と軸部材１の側面との摩擦抵抗により得られる。
従って、適度なアガキを得るために、円柱状に形成される軸部材１の径を、円弧状に形成される把持部２１の内径より若干大きくする等して、軸部材１や把持部２１の形状を決定することが必要である。
【００４２】
軸部材１の径を把持部２１の内径より若干大きく形成した場合、軸部材１を把持部２１に圧入すると、把持部２１が若干押し広げられ、軸部材１がその弾性により適度な把持力で軸部材１を把持するため、適度なアガキを生じさせることができる。
【００４３】
ところで、その際の把持部２１の押し広げは、先述した従来例の場合のような押し広げとは全く異なるものであることに注意する必要がある。
従来例（特許文献６〜８）の軸部材１は、その構造上、図１（Ａ）で言うならば、軸部材１を智２の把持部２１に水平方向〔即ち図１（Ｂ）に１点鎖線で示した軸部材１の回動軸線に垂直な方向〕から嵌め込まざるを得なかった。
そのため、智２の案内溝孔２２の端部２３と智２の相対部との間の僅かな間隙（即ち切れ目）を大きく押し広げて、軸部材１をそこから把持部２１に押し込んだ。
【００４４】
即ち、智２の端部２３と相対部との間隙は、軸部材１が通る幅、つまり軸部材１の直径の分だけ、一旦必要以上に大きく押し広げられる（即ち把持部２１の曲率半径が一旦大きくなるように押し広げられる）。
そのため、このように大きく押し広げることなく挿入された場合と比較した場合、従来例における把持部２１の軸部材１に対する把持力は小さいものとなる可能性が残った。
【００４５】
また、軸部材１を嵌め込み易くするためには、上記端部２３と智２の相対部との間隙（即ち切れ目）をある程度幅広く形成せざるを得なかった。
しかし、その分、軸部材１を把持する把持部２１の円弧部分の長さが短くなってしまうため、上記押し広げとは関係なく、把持部２１の把持力自体がそもそも弱いものとなる。
また同時に、眼鏡の着用時に、軸部材１が把持部２１から外れてしまう可能性もあった。
【００４６】
それに対し、本発明の眼鏡部材の連結回動構造Ａでは、軸部材１を把持部２１のいわば上方から挿入（圧入）するため、把持部２１を必要以上に拡幅させることがない。
そのため、軸部材１の圧入により把持部２１が若干押し広げられると、把持部２１が有する本来の弾性で軸部材１を把持し、この把持力により摩擦抵抗が発生するため、適度なアガキが弱まることなく的確に得られるのである。
【００４７】
また、本発明の連結回動構造Ａは、上記の従来例とは異なり、智２の案内溝孔２２の端部２３と智２の相対部との間隙（切れ目）を大きく幅広く取る必要がない。
寧ろ、その逆に、図１（Ａ）に示した如く、端部２３と智２とが近接した状態に形成することができるため、智２の把持部２１が軸部材１の外周（側面）のほぼ全域にわたって把持する状態に形成することができる。
そのため、智２の把持部２１が軸部材１を確実に把持することが可能となり、眼鏡の着用時に軸部材１が把持部２１から外れる事態を確実に防止できるのである。
【００４８】
ところで、本発明は、智２及びテンプル３が所定の拡開状態にあるとき、即ち図１（Ｂ）の位置にあるとき、テンプル３（この場合は折り返し部３１）が智２の案内溝孔２２の端部２３に当接することを特徴とする。
つまり、テンプル３が図中の矢印Ｐの方向に回動する際には、テンプル３と端部２３との当接は解除されるが、テンプル３が拡開して図１（Ｂ）の状態となったとき初めてテンプル３と端部２３とが当接する。
【００４９】
また、眼鏡着用時には、テンプル３が図中の矢印Ｒの方向に回動（いわゆるオーバー回動）する状態となることが多い。
このように、テンプル３に矢印Ｒ方向の力が加わると、軸部材１を支点としていわゆる「てこの原理」で、テンプル３は端部２３に矢印Ｓ方向に力（オーバー回動の力）を加える状態になる。
【００５０】
つまり、このオーバー回動の力は、円弧状の把持部２１の曲率半径を小さくするように作用する。
そのため、テンプル３が繰り返し開閉されて、軸部材１が把持部２１との摩擦で多少摩耗しても、眼鏡を着用するたびに、把持部２１の曲率半径が小さくなるような力が加わり、把持部２１が軸部材１を締め付けるため、適度なアガキを長期間良好に維持することが可能となるのである。
【００５１】
〔軸部材のバリエーション〕
さて、上記の第１の実施の形態において、軸部材１は、円柱状に形成される場合を示したが〔図１（Ａ）参照〕、その機能を有効に発揮し得るものであれば、他の形状とすることも可能である。
図２は、種々の形状を有する軸部材を示す図である。
【００５２】
図２（Ａ）は、図１（Ａ）に示した軸部材１であり、円柱状に形成され、貫通孔１１は軸部材１の中心を通るように形成されている（即ち、軸部材１の回転軸と交わるように形成されている）。
図２（Ｂ）は樽状に形成したものであり、図２（Ｃ）は球状に形成したものである。
【００５３】
因みに、このように軸部材１を樽状又は球状に形成した場合、テンプル３の後端が図１（Ｂ）に示した矢印Ｑの方向、即ち上下方向にぶれる可能性がある。
そのため、軸部材１をこのように形成する場合には、智２の案内溝孔２２を、その幅がテンプル３の上下方向の幅と一致するように正確に形成する必要がある。
【００５４】
図２（Ｄ）は、貫通孔１１を偏心させて、即ち軸部材１の回動軸線と交わらないように形成したものである。
図２（Ｅ）は、貫通孔を、軸部材１の回動軸線に対して垂直方向（即ち水平方向）に開放された切り欠きのものとした場合の軸部材１である。
【００５５】
この図２（Ｅ）に示した軸部材１を用いて本発明の眼鏡部材の連結回動構造Ａを形成した場合、図１（Ｂ）に示した構造Ａと同様の外観となる。
その際、図３に示すように、テンプル３は、折り返し部３１及びテンプル本体部３２が智２の案内溝孔２２内で軸部材１の切り欠き状の貫通孔１１の背部１３を挟持することにより軸部材１に固定されるのである（図３では便宜上智２を省略した）。
【００５６】
図２（Ｆ）は、図２（Ａ）に示した軸部材１の底面（上面）に、貫通孔１１と平行に溝１４を形成したものである。
図４は、図２（Ｆ）の軸部材を用いて形成した眼鏡部材の連結回動構造を示す斜視図である。
【００５７】
図１に示した場合と同様に、智２の把持部２１に対して軸部材１を上方から挿入（圧入）し、案内溝孔２２に開口した軸部材１の貫通孔１１にテンプル３の折り返し部３１を挿通する。
それと同時に、軸部材１の溝１４にテンプル本体部３２を嵌め込み、折り返し部３１とテンプル本体部３２とで軸部材１を挟持することで、テンプル３が軸部材１に固定されるのである。
図４では、溝１４を上向きにしたが、溝１４が下向きになるように軸部材１を把持部２１に嵌め込み、テンプル３が軸部材１の下方を通過するように形成することも可能であることは言うまでもない。
【００５８】
〔テンプルのバリエーション〕
図１〜図４では、智２の把持部２１に挿入（圧入）された軸部材１の貫通孔１１に、テンプル３の折り返し部３１を挿通する場合を示した。
しかし、軸部材１の貫通孔１１に、テンプル３のテンプル本体部３２を挿通することも可能である（図５参照）。
図２（Ｂ）〜（Ｆ）に示した軸部材１を用いた場合も、同様に形成することは当然可能である。
【００５９】
また、図５のようにテンプル３のテンプル本体部３２を挿通する場合には、テンプル３が軸部材１から抜けるのを防止する抜け止め構造３３〔図６（Ａ）参照〕を形成したり、テンプル３が軸部材１を挟持する位置を変えてテンプル３の長さを調節するための波打ち構造３４〔図６（Ｂ）参照〕を形成し易くなるという利点がある。
改めて図示はしないが、図１等のように軸部材１にテンプル３の折り返し部３１を挿通する場合にも、例えば、テンプル本体部３２に抜け止め構造や波打ち構造を形成し得ることは言うまでもない。
【００６０】
〔智のバリエーション〕
また、図１等では、智２が１本の棒状材を折り曲げて形成される場合を示したが、当然、別の方法により形成することも可能である。
図７（Ａ）は、平板材より形成した智を示す斜視図であり、（Ｂ）はそれを用いて形成した眼鏡部材の連結回動構造を示す斜視図である。
【００６１】
この場合、智２〔図７（Ａ）参照〕は、平板材の先端部を、閉じた端部２３を残すようにして長手方向に平行に打ち抜いて案内溝孔２２を形成し、曲げ加工を施して把持部２１が形成されている。
これに、図１に示したのと同様に軸部材１及びテンプル３を組み付けることにより眼鏡部材の連結回動構造Ａを形成することができる〔図７（Ｂ）参照〕。
この場合、例えば、智２の平板材の幅方向の長さと、円柱状の軸部材１の回動軸線方向の長さとが同一になるように形成すれば、軸部材１の上面１５と智２の平板材の上側面とを面一とすることができ、デザイン的にシンプルになる。
【００６２】
〔第２の実施の形態〕
さて、これまで示してきた眼鏡部材の連結回動構造Ａでは、例えば、図１（Ｂ）に示したように、テンプル３が折り返された部分、即ち屈曲部３５が、智２の端部２３に当接することで、図中の矢印Ｐ方向の回動が制限された。
つまり、いわば智２の把持部２１の前方に、端部２３が設けられていた。
【００６３】
この智２の端部２３を、把持部２１のいわば後方に形成することも可能である。
図８（Ａ）は、端部を後方に形成した智を示す斜視図であり、（Ｂ）はそれを用いて形成した眼鏡部材の連結回動構造を示す斜視図である。
この眼鏡部材の連結回動構造Ｂでは、智２は、図１に示したものと同様の形状であるが、屈曲部２５にて大きく内方に屈曲している〔図８（Ａ）参照〕。
【００６４】
この智２の把持部２１に、軸部材１を挿入（圧入）し、テンプル３のテンプル本体部３２を、案内溝孔２２に開口した軸部材１の貫通孔１１（便宜上図示しない）に挿通し、テンプル本体部３２と折り返し部３１とで軸部材１を挟持することにより、テンプル３が軸部材１に固定される。
このように形成されると、テンプル３は、図中の矢印Ｐ方向に回動する場合には、適度なアガキを生じながら自在に回動することができる。
【００６５】
そして、テンプル３（のテンプル本体部３２）が智２の端部２３に当接すると、テンプル３はそれ以上の拡開を阻止される。
しかし、それに抗して、図中の矢印Ｒ方向に更に拡開すると、即ちオーバー回動すると、軸部材１を支点としていわゆる「てこの原理」で端部２３に矢印Ｓ方向に力（オーバー回動の力）が加わる状態になる。
【００６６】
この矢印Ｓ方向の力は、端部２３を介して智２の把持部２１に加わる力のモーメントとしては、図１（Ｂ）に示した端部２３に加わる力（矢印Ｓ方向）と同一方向の力のモーメントを及ぼす。
そのため、この実施の形態においても、第１の実施の形態と同様に、このオーバー回動の力は円弧状の把持部２１の曲率半径を小さくするように作用する。
【００６７】
またそのため、テンプル３が繰り返し開閉されて、軸部材１が把持部２１との摩擦で多少摩耗しても、眼鏡を着用するたびに、把持部２１の曲率半径が小さくなるような力が加わり、把持部２１が軸部材１を締め付けるため、適度なアガキを長期間良好に維持することが可能となるのである。
尚、第１の実施の形態で示した軸部材やテンプル、智のバリエーション等は、第２の実施の形態においても同様に成立することは言うまでもない。
【００６８】
〔第３の実施の形態〕
上記の実施の形態では、主に軸部材１が円柱状に形成された場合について説明し、図２の軸部材１のバリエーションにおいても、樽状や球状のような回転体について示した。
こうした構造の眼鏡部材の連結回動構造では、テンプル３の開閉の際に、均一なアガキが得られる。
【００６９】
しかし、テンプル３の開閉の際に、テンプル３が特徴のある段階的な動き（以下、段付き回動という）をするようにしたい場合がある。
つまり、例えば、テンプル３を、図１（Ｂ）のように所定位置に拡開した状態から矢印Ｐ方向に折りたたむ際に、最初は回動に抵抗を感じるが、ある程度折りたたむと、今度はテンプル３自体が自動的に付勢されて手で押さなくても自然に折りたたまれるような場合である。
【００７０】
このような段付き回動は、軸部材１の形状を断面多角形状や断面楕円状等とすることで得ることができる。
図９は、こうした段付き回動を得るために軸部材及び智の把持部の構造を変形した第３の実施の形態を示す斜視図であり、（Ａ）は軸部材と智を示し、（Ｂ）はそれらを用いた眼鏡部材の連結回動構造を示す。
図１０は、図９の変形例を示す斜視図であり、（Ａ）は軸部材と智を示し、（Ｂ）はそれらを用いた眼鏡部材の連結回動構造を示す。
【００７１】
図９及び図１０に示す眼鏡部材の連結回動構造Ｃでは、軸部材１は断面矩形状の柱体状に形成され、側面の角部が曲面状にカットされている。
図９（Ａ）に示す軸部材１は、貫通孔１１が対角線状に穿設されており、智２の把持部２１は、軸部材１の形状に沿うように、略正方形状に折り曲げて形成されている。
【００７２】
このように形成された軸部材１を智２の把持部２１に挿入（圧入）し、上記と同様にテンプル３を装着すると、眼鏡部材の連結回動構造Ｃが完成する〔図９（Ｂ）参照〕。
この状態から、テンプル３を図中の矢印Ｐ方向に折りたたんでいくと、テンプル３の回動に伴って把持部２１の中で軸部材１が回動するが、最初のうちは（即ち図中のテンプル３の折りたたみ角度θが小さいうちは）、軸部材１の回動を把持部２１が邪魔するため、テンプル３の回動が抵抗を受ける。
【００７３】
しかし、更にテンプル３を折りたたみ方向に強制的に回動させ続けると、折りたたみ角度θが約４５°を超えた当たりで、今度は、軸部材１が把持部２１から力を受けて付勢されてテンプル３がいわば自動的に折りたたまれ、自然に折りたたみ状態（図中のＴ参照。この際θ＝約９０°）に落ち着くのである。
逆に、テンプル３を折りたたみ状態Ｔから拡開する場合にも、同様に、最初のうちは拡開に抵抗感があるが、ある地点からテンプル３がいわば自動的に拡開されて、テンプル３が智２の端部２３に当接する位置に落ち着くのである。
【００７４】
図１０の場合も同様に、段付き回動を実現することができる。
図１０に示した変形例では、智２の把持部２１に平行部２６が設けられ、この平行部２６で断面略矩形状の軸部材１を挟持する構造となっている。
把持部２１の平行部２６以外の曲線状に形成された部分は、軸部材１の把持には直接的には貢献しない。
【００７５】
しかし、軸部材１が前後に移動するのを阻止するようにこの曲線部分を形成すれば、眼鏡部材の連結回動構造Ｃは、図９に示した構造Ｃや上記の第１の実施の形態（連結回動構造Ａ）、第２の実施の形態（連結回動構造Ｂ）とまったく同様の機能を発揮できるのである。
【００７６】
以上、本発明を説明してきたが、本発明は上記の実施の形態にのみ限定されるものではなく、その本質を逸脱しない範囲で、他の種々の変形例が可能であることは言うまでもない。
【００７７】
例えば、上記の実施の形態では、第１眼鏡部材が智２であり第２眼鏡部材がテンプル３である場合を示したが、それを逆にして、テンプル３に把持部等を形成し、智２の先端部分に折り返し部等を形成することも当然可能である。
また、先述したように、本発明の眼鏡部材の連結回動構造は、上記のような智とテンプルとの連結の場合のみならず、例えば、跳ね上げレンズとリムとの連結や折り畳み眼鏡のブリッジの折り曲げ可能な連結構造等にも当然採用可能である。
【００７８】
更に、眼鏡部材には、通常、種々のデザインが施されるものである。
例えば、テンプル３については、１本の棒状材よりなる場合のみを示したが、平板材等の他の形状の材料を用いることは適宜行われることである。
また、軸部材１の上面を曲面状に形成したり、上面に模様やマークを掘り込んだりすることも当然可能である。
【００７９】
【発明の効果】
本発明によれば、ロー付け等の溶接を必要とせずに眼鏡部材の連結回動構造を形成でき、かつ簡単な構造でありながら把持部が軸部材を確実に把持することが可能なものとすることができる。
しかも、適度なアガキを長期間良好に保つことが可能となる。
【図面の簡単な説明】
【図１】図１は、本発明の眼鏡部材の連結回動構造の第１の実施の形態を示す斜視図であり、（Ａ）は各部材の組み付け前、（Ｂ）は組み付け後の連結回動構造を示し、（Ｃ）はテンプルを多少折りたたんだ状態を示す。
【図２】図２は、種々の形状を有する軸部材を示す図である。
【図３】図３は、切り欠き状の貫通孔が形成された軸部材をテンプルが挟持した状態を示す斜視図である。
【図４】図４は、図２（Ｆ）の軸部材を用いて形成した眼鏡部材の連結回動構造を示す斜視図である。
【図５】図５は、軸部材の貫通孔や切り欠き状の貫通孔にテンプルのテンプル本体部を挿通して構成した連結回動構造を示す斜視図である。
【図６】図６（Ａ）は、テンプルの抜け止め構造を説明する図であり、（Ｂ）はテンプルの波打ち構造を説明する図である。
【図７】図７（Ａ）は、平板材より形成した智を示す斜視図であり、（Ｂ）はそれを用いて形成した眼鏡部材の連結回動構造を示す斜視図である。
【図８】図８（Ａ）は、端部を後方に形成した智を示す斜視図であり、（Ｂ）はそれを用いて形成した眼鏡部材の連結回動構造を示す斜視図である。
【図９】図９は、第３の実施の形態を示す斜視図であり、（Ａ）は軸部材と智を示し、（Ｂ）はそれらを用いた眼鏡部材の連結回動構造を示す。
【図１０】図１０は、図９の変形例を示す斜視図であり、（Ａ）は軸部材と智を示し、（Ｂ）はそれらを用いた眼鏡部材の連結回動構造を示す。
【符号の説明】
Ａ、Ｂ、Ｃ…眼鏡部材の連結回動構造
１…軸部材
１１…貫通孔
１２…開口部
１３…背部
１４…溝
１５…上面
２…智
２１…把持部
２２…案内溝孔
２３…端部
２４…上側面
２５…屈曲部
２６…平行部
３…テンプル
３１…折り返し部
３２…テンプル本体部
３３…抜け止め構造
３４…波打ち構造
３５…屈曲部
【図１】
2004333656.tif 000003
【図２】
2004333656.tif 000004
【図３】
2004333656.tif 000005
【図４】
2004333656.tif 000006
【図５】
2004333656.tif 000007
【図６】
2004333656.tif 000008
【図７】
2004333656.tif 000009
【図８】
2004333656.tif 000010
【図９】
2004333656.tif 000011
【図１０】
2004333656.tif 000012